(57)【要約】本発明は、放射線透過性のハロータイプの開創器（２０）に関するものであって、放射線透過性曲線的固定部材（３２）と、この固定部材に対して連結された放射線透過性曲線的可動部材（３４）と、を具備している。固定部材および可動部材の各々は、開創器アームのメス型連結部材を受領し得るよう、凸面（４０，４２）から外向きに突出する放射線透過性オス型連結部材（４４，４６）を備えている。可動部材の両端部（６０，６８）は、固定部材の両端部（５６，６４）の離間間隔よりも小さな離間間隔でもって離間している。放射線透過性の星形コネクタ（５８，６２）が、固定部材および可動部材の各第１端部上に配置されていて、所望角度配向でもってこれら固定部材および可動部材を固定している。放射線透過性の星形コネクタ（６６，７０）が、同様にして、固定部材および可動部材の各第２端部上に配置されている。
2004525716.tif 000002
【特許請求の範囲】
【請求項１】
放射線透過性のハロータイプの開創器であって、
第１端部および第２端部を有するとともに、径方向外向きに突出しておりかつ開創器アームのメス型連結部材を受領し得るよう構成された第１放射線透過性オス型連結部材を有した、放射線透過性曲線的固定部材と；
第１端部および第２端部を有するとともに、径方向外向きに突出しておりかつ開創器アームのメス型連結部材を受領し得るよう構成された第２放射線透過性オス型連結部材を有した、放射線透過性曲線的可動部材と；
前記第１端部および前記第２端部の一方に対して回転可能に連結された第１ピンと；
前記第１端部および前記第２端部の他方に対して回転可能に連結されたロックシャフトであるとともに、前記固定部材と前記可動部材とを所望の配向関係でもってロックし得るロックシャフトと；
を具備することを特徴とする開創器。
【請求項２】
放射線透過性のハロータイプの開創器であって、
第１端部および第２端部を有するとともに、第１凸面を有し、さらに、この第１凸面から外向きに突出しておりかつ開創器アームのメス型連結部材を受領し得るよう構成された第１放射線透過性オス型連結部材を有した、放射線透過性曲線的固定部材と；
第１端部および第２端部を有するとともに、第２凸面を有し、さらに、この第２凸面から外向きに突出した第２放射線透過性オス型連結部材を有した、放射線透過性曲線的可動部材と；
前記第１端部および前記第２端部の一方に対して回転可能に連結された第１ピンと；
前記第１端部および前記第２端部の他方に対して回転可能に連結されたロックシャフトであるとともに、前記固定部材と前記可動部材とを所望の配向関係でもってロックし得るロックシャフトと；
を具備することを特徴とする開創器。
【請求項３】
請求項２記載の開創器において、
前記第１および第２放射線透過性オス型連結部材の各々が、それぞれ対応する前記凸面に対してのチャネルを形成していることを特徴とする開創器。
【請求項４】
請求項２記載の開創器において、
前記第１および第２放射線透過性オス型連結部材の各々が、それぞれ対応する前記凸面に対しての、一対をなすチャネルを形成していることを特徴とする開創器。
【請求項５】
請求項２記載の開創器において、
前記第１および第２放射線透過性オス型連結部材の各々が、脚部材とロック部材とを備えていることを特徴とする開創器。
【請求項６】
請求項５記載の開創器において、
前記脚部材が、前記凸面の一方に対して固定された基端部と、前記ロック部材に対して連結された先端部と、を有していることを特徴とする開創器。
【請求項７】
請求項６記載の開創器において、
前記ロック部材が、前記凸面の一方に対してのチャネルを形成していることを特徴とする開創器。
【請求項８】
請求項７記載の開創器において、
前記脚部材と前記ロック部材とが、実質的にＴ字形状であることを特徴とする開創器。
【請求項９】
請求項８記載の開創器において、
前記脚部材と前記ロック部材とが、前記凸面に対しての、一対をなすチャネルを形成していることを特徴とする開創器。
【請求項１０】
請求項２記載の開創器において、
前記ロックシャフトが、放射線透過性材料から形成されていることを特徴とする開創器。
【請求項１１】
請求項２記載の開創器において、
前記ピンが、放射線透過性材料から形成されていることを特徴とする開創器。
【請求項１２】
請求項２記載の開創器において、
前記固定部材および前記可動部材が、実質的に半円形であることを特徴とする開創器。
【請求項１３】
請求項２記載の開創器において、
さらに、放射線透過性の開創器アームを具備し、
この開創器アームが、前記第１および第２オス型連結部材の一方に対して連結可能とされた放射線透過性メス型連結部材を備えていることを特徴とする開創器。
【請求項１４】
放射線透過性のハロータイプの開創器であって、
第１端部および第２端部を有した放射線透過性曲線的固定部材と；
第１端部および第２端部を有した放射線透過性曲線的可動部材と；
前記固定部材および前記可動部材のそれぞれの前記第１端部上に配置されているとともに、前記固定部材と前記可動部材とを所望の角度配向関係でもって固定する、第１および第２放射線透過性星形コネクタと；
前記固定部材および前記可動部材のそれぞれの前記第２端部上に配置されているとともに、前記固定部材と前記可動部材とを所望の角度配向関係でもって固定する、第３および第４放射線透過性星形コネクタと；
前記第１および第２星形コネクタの一方に対して固定されているとともに、前記第１および第２星形コネクタの他方を挿通して延在しており、さらに、前記固定部材および前記可動部材の前記第１端部に関しての回転軸をもたらしている、放射線透過性のピンと；
前記第３および第４星形コネクタの一方に対して取り付けられているとともに、前記第３および第４星形コネクタの他方に対して螺着的に係合しており、さらに、前記固定部材および前記可動部材の前記第２端部に関しての回転軸をもたらしている、放射線透過性のロックシャフトと；
を具備することを特徴とする開創器。
【請求項１５】
請求項１４記載の開創器において、
前記固定部材および前記可動部材が、それぞれ、互いに対向している凸面と凹面とを備え、
前記第１星形コネクタが、前記固定部材の前記凹面上に配置され、
前記第２星形コネクタが、前記可動部材の前記凸面上に配置されていることを特徴とする開創器。
【請求項１６】
請求項１５記載の開創器において、
前記第３星形コネクタが、前記固定部材の前記凸面上に配置され、
前記第４星形コネクタが、前記可動部材の前記凹面上に配置されていることを特徴とする開創器。
【請求項１７】
請求項１６記載の開創器において、
前記放射線透過性ロックシャフトが、前記固定部材上の前記第１星形コネクタに対して取り付けられているとともに、前記可動部材上の前記第２星形コネクタに対して螺着的に係合していることを特徴とする開創器。
【請求項１８】
請求項１７記載の開創器において、
前記放射線透過性ピンが、前記固定部材上の前記第３星形コネクタに対して固定されているとともに、前記第４星形コネクタを挿通して延在していることを特徴とする開創器。
【請求項１９】
請求項１４記載の開創器において、
さらに、放射線透過性の開創器アームを具備し、
この開創器アームが、前記固定部材と前記可動部材との一方に対して連結可能とされていることを特徴とする開創器。
【請求項２０】
放射線透過性のハロータイプの開創器であって、
第１端部および第２端部を有するとともに、第１凸面を有した、放射線透過性曲線的固定部材と；
第１端部および第２端部を有するとともに、第２凸面を有した、放射線透過性曲線的可動部材と；
を具備し、
前記固定部材の前記第１端部と前記第２端部とが、前記可動部材の前記第１端部と前記第２端部との間の離間間隔とは異なる離間間隔を有し、
さらに、
前記第１端部および前記第２端部の一方に対して回転可能に連結された第１ピンと；
前記第１端部および前記第２端部の他方に対して回転可能に連結されたロックシャフトであるとともに、前記固定部材と前記可動部材とを所望の配向関係でもってロックし得るロックシャフトと；
を具備し、
前記ロックシャフトが前記固定部材と前記可動部材とを互いにロックする際には、前記固定部材の前記第１端部と前記第２端部との間の離間間隔が、前記可動部材の前記第１端部と前記第２端部との間の離間間隔と等しくなり、前記固定部材および前記可動部材の前記第１および第２端部が、弾性的に広がることを特徴とする開創器。
【請求項２１】
請求項２０記載の開創器において、
前記固定部材の前記第１端部および前記第２端部が、前記可動部材の前記第１端部および前記第２端部の間の離間間隔よりも大きな離間間隔でもって離間していることを特徴とする開創器。
【請求項２２】
請求項２１記載の開創器において、
前記ロックシャフトが前記固定部材と前記可動部材とを互いにロックする際には、前記可動部材の前記第１端部および前記第２端部が、弾性的に広がることを特徴とする開創器。
【請求項２３】
請求項２２記載の開創器において、
前記ロックシャフトが前記固定部材と前記可動部材とを緩めたときには、前記可動部材の前記第１端部および前記第２端部が、自動的に互いに近接する向きに移動することを特徴とする開創器。
【請求項２４】
請求項２３記載の開創器において、
さらに、前記固定部材および前記可動部材のそれぞれの前記第１端部上に配置された第１および第２放射線透過性星形コネクタを具備し、
これら第１および第２放射線透過性星形コネクタが、前記ロックシャフトが前記固定部材と前記可動部材とを互いにロックすることに応答して、前記固定部材および前記可動部材の前記第１端部どうしを、所望の角度配向関係でもって固定することを特徴とする開創器。
【請求項２５】
請求項２４記載の開創器において、
前記ロックシャフトが前記固定部材と前記可動部材とを緩めたときには、前記可動部材の前記第１端部および前記第２端部が、自動的に互いに近接する向きに移動し、
前記可動部材の前記第１端部および前記第２端部に関してのこの近接移動により、前記第１および第２星形コネクタが、互いに離間移動することを特徴とする開創器。
【請求項２６】
請求項２５記載の開創器において、
さらに、前記固定部材および前記可動部材のそれぞれの前記第２端部上に配置された第３および第４放射線透過性星形コネクタを具備し、
これら第３および第４放射線透過性星形コネクタが、前記ロックシャフトが前記固定部材と前記可動部材とを互いにロックすることに応答して、前記固定部材および前記可動部材の前記第２端部どうしを、所望の角度配向関係でもって固定することを特徴とする開創器。
【請求項２７】
請求項２６記載の開創器において、
前記ロックシャフトが前記固定部材と前記可動部材とを緩めたときには、前記可動部材の前記第１端部および前記第２端部が、自動的に互いに近接する向きに移動し、
前記可動部材の前記第１端部および前記第２端部に関してのこの近接移動により、前記第３および第４星形コネクタが、互いに離間移動することを特徴とする開創器。
【請求項２８】
放射線透過性のハロータイプの開創器であって、
放射線透過性曲線的固定部材と；
この固定部材に対して連結されているとともにこの固定部材に対して移動可能とされた放射線透過性曲線的可動部材と；
前記固定部材に対して連結可能とされているとともに、放射線透過性支持ロッドを有している、実質的に放射線透過性の支持ブラケットと；
前記支持ロッドに対して連結可能とされた実質的に放射線透過性のロッドホルダと、このロッドホルダに対して連結可能とされた放射線透過性の固定ボディと、この固定ボディ内においてスライド可能に取り付けられかつこの固定ボディに対して固定可能とされた放射線透過性の可動ボディと、を備えた実質的に放射線透過性の取付クランプ部材と；
を具備し、
前記固定ボディと前記可動ボディとが、頭蓋骨固定デバイス上に取り付け得るように構成されていることを特徴とする開創器。
【請求項２９】
放射線透過性のハロータイプの開創器であって、
第１端部および第２端部を有するとともに、第１凸面を有し、さらに、この第１凸面から外向きに突出しておりかつ開創器アームのメス型連結部材を受領し得るよう構成された第１放射線透過性オス型連結部材を有した、放射線透過性曲線的固定部材と；
第１端部および第２端部を有するとともに、第２凸面を有し、さらに、この第２凸面から外向きに突出しておりかつ開創器アームのメス型連結部材を受領し得るよう構成された第２放射線透過性オス型連結部材を有した、放射線透過性曲線的可動部材と；
を具備し、
前記固定部材の前記第１端部と前記第２端部とが、前記可動部材の前記第１端部と前記第２端部との間の離間間隔とは異なる離間間隔を有し、
さらに、
前記固定部材および前記可動部材のそれぞれの前記第１端部上に配置されているとともに、前記固定部材と前記可動部材とを所望の角度配向関係でもって固定する、第１および第２放射線透過性星形コネクタと；
前記固定部材および前記可動部材のそれぞれの前記第２端部上に配置されているとともに、前記固定部材と前記可動部材とを所望の角度配向関係でもって固定する、第３および第４放射線透過性星形コネクタと；
前記第１端部に対して回転可能に連結された第１ピンと；
前記第２端部に対して回転可能に連結されたロックシャフトであるとともに、前記固定部材と前記可動部材とを所望の配向関係でもってロックし得るロックシャフトと；
を具備していることを特徴とする開創器。
【発明の詳細な説明】
【技術分野】
【０００１】
本発明は、広義には、手術器具の分野に関するものであり、より詳細には、ハロー（あるいは、暈）スタイルの手術用開創器に関するものであって、生体組織や膜や管腔やあるいは頭の手術時における手術部位の掛止を容易とし得るような手術用開創器に関するものである。
【背景技術】
【０００２】
例えばハロースタイルの開創器や支持部材やフレキシブルな開創器アームといったように、多様な様々な手術用開創器部材が公知である。ハロースタイルの開創器は、多くの場合、全体的に半円形の２つの半リングをヒンジ結合させることによって形成され、その場合、第１の半リングが、支持構造に対して固定される。第２の半リングは、第１の半リングに対して、略直径をなす回転軸回りに回転可能とされ調節可能とされる。複数の開創器アームおよび他の取付部材を、各半リングの外面に沿って延在する鳩尾形状内向きスロットを介して、半リングに対して取り付けることができる。ハロースタイルの開創器は、例えば頭蓋骨クランプデバイスといったような頭部固定デバイス上に取り付けることができる。開創器の位置および向きは、手術時の要求を満たし得るように調節することができる。多くの場合、頭蓋骨クランプデバイスは、放射線透過性であって、例えば手術台延長場所といったようなところにおいて、放射線透過性患者支持構造上に取り付けることができる。
【０００３】
そのようなハロースタイルの開創器をなす各部材は、通常は、ステンレススチールや他の金属から製造される。そのようなハロースタイルの開創器に関する１つの問題点は、金属が放射線や他の画像形成プローブに対して不透明であることである。そのような金属部材は、得られる画像に対して『ノイズ』を生成してしまう。このようなノイズは、画像化プロセスの有効性を劣化させてしまう。それは、そのようなノイズが、多くの場合、通常なら見えるはずの患者部分を妨害し、放射線に対して不透明な開創器アームやハロータイプのアームや支持部材が情報欠損をもたらすからである。さらに、手術手順においては、有効な走査手順が要求されることが多くなってきており、放射線不透明な開創器部材の使用は、そのような走査手順を複雑化する。例えば、１つの手法においては、走査プロセスに先立って、放射線不透明部材を除去する。理解されるように、この手法は、手術手順においては、利用できないことが多い。他の手法は、放射線不透明開創器部材の位置および向きを、所望の機能は維持しつつも、外科医が必要としている走査画像部分内におけるノイズや干渉を最小化し得るようなものとすることである。この手法は、うまくいったにしても、困難なものであって、時間のかかる作業であり、利点が制限されている。うまくいかなかった場合には、この手法は、極めて役に立たないものとなる。なお、本出願人の知る限りにおいては、本出願に関連性を有する先行技術文献は存在しない。
【発明の開示】
【課題を解決するための手段】
【０００４】
したがって、画像化プロセスにおけるノイズを最小化させ得るような、放射線透過性開創器アームや、放射線透過性ハロータイプ手術用開創器や、放射線に対して透明な開創器支持構造、が要望されている。
【０００５】
本発明は、画像内におけるノイズを最小化するような、放射線透過性のフレキシブルな開創器アームと、放射線透過性のハロースタイルの開創器と、放射線透過性の支持構造と、を提供する。本発明による放射線透過性開創器の各構成要素は、走査を行う場合に特に有効である。さらに、本発明による放射線透過性ハロースタイル開創器は、使用する部材数が最小であって、製造コスト的に有利であり、容易に使用することができる。
【０００６】
本発明の原理に基づき、本発明の実施形態によれば、本発明は、放射線透過性のハロータイプの開創器であって、放射線透過性曲線的固定部材と、放射線透過性曲線的可動部材と、を具備した開創器を提供する。固定部材および可動部材の各々は、それぞれの凸面から径方向外向きに突出する放射線透過性オス型連結部材を備えている。さらに、ピンが、固定部材および可動部材の各第１端部どうしを回転可能に連結しており、ロックシャフトが、固定部材および可動部材の各第２端部どうしを回転可能に連結している。ロックシャフトは、固定部材および可動部材を、所望の相対角度配向でロックすることができる。固定部材および可動部材に対してのオス型連結部材の適用は、固定部材および可動部材の成型プロセスを実質的に単純化し、これにより、これら部材の製造コストを低減することを補助することができる。
【０００７】
本発明の他の実施形態においては、放射線透過性ハロータイプ開創器は、放射線透過性曲線的固定部材と、放射線透過性曲線的可動部材と、を具備している。第１および第２放射線透過性星形コネクタが、固定部材および可動部材の各第１端部上に配置されている。第１および第２星形コネクタは、所望角度配向でもってこれら固定部材および可動部材を固定する。第３および第４放射線透過性星形コネクタが、固定部材および可動部材の各第２端部上に配置されている。第３および第４星形コネクタは、所望角度配向でもってこれら固定部材および可動部材を固定する。放射線透過性ピンが、第１および第２星形コネクタの一方に対して固定されているとともに、第１および第２星形コネクタの他方を挿通して延在している。このピンは、固定部材および可動部材の両第１端部に関しての回転軸をもたらす。放射線透過性ロックシャフトが、第３および第４星形コネクタの一方に対して取り付けられているとともに、第３および第４星形コネクタの他方に対して螺着的に係合している。このロックシャフトは、固定部材および可動部材の両第２端部に関しての回転軸をもたらす。固定部材および可動部材のオーバーラップ端部上における４個の星形コネクタの使用は、両部材を互いにロックした場合の剛直性を減少させることなく、開創器の構造を単純化する。
【０００８】
本発明の他の実施形態においては、放射線透過性ハロータイプ開創器は、放射線透過性曲線的固定部材と、放射線透過性曲線的可動部材と、を具備している。固定部材の第１端部と第２端部とは、可動部材の第１端部と第２端部との間の離間間隔とは異なる離間間隔でもって、離間されている。第１ピンが、固定部材および可動部材の両第１端部を回転可能に連結しているとともに、ロックシャフトが、固定部材および可動部材の両第２端部を回転可能に連結している。ロックシャフトは、固定部材と可動部材とを所望の配向関係でもってロックすることができる。
【０００９】
本発明の一見地においては、可動部材の両端部間の離間間隔は、固定部材の両端部間の離間間隔よりも小さい。したがって、ロックシャフトが、固定部材と可動部材とを互いにロックした際には、可動部材は、弾性的に広がり、可動部材の第１端部と第２端部との間の離間間隔は、固定部材の第１端部と第２端部との間の離間間隔と等しいものとなる。このような構成により、可動部材を、単一のロックシャフトの締付緩和によって制御することができる。さらに、可動部材の弾性により、外科医は、星形コネクタの１つの歯ごとの『クリック感』や『スナップ感』を、感覚的に感じることができる。これにより、本発明による手術用開創器は、公知のハロースタイル開創器よりも、実質的に使い勝手の良いものとなる。加えて、固定部材に対して可動部材を調節してロックすることができるという可能性は、ロックシャフトという１つの部材を付加することだけによって達成される。公知のハロースタイルの開創器よりも、このようにして部材数を低減できることは、製造コストの低減化を補助するとともに、手術の信頼性を高めて、手術トラブルの回避を補助する。
【発明を実施するための最良の形態】
【００１０】
本発明の上記のあるいは利点は、添付図面を参照しつつ、以下の詳細な説明を読むことにより、明瞭となるであろう。
【００１１】
図１に示すように、放射線透過性のハロースタイルの手術用開創器（２０）は、放射線透過性の開創器リング（２２）を備えている。開創器リング（２２）は、放射線透過性の支持ブラケット（２４，２６）の各上端に、取り付けられている。支持ブラケットは、それぞれの下端のところにおいて、放射線透過性の取付クランプ部材（２８，３０）に対して取り付けられている。開創器リング（２２）は、曲線をなす放射線透過性の固定部材すなわち半リング（３２）と、曲線をなす放射線透過性の可動部材すなわち半リング（３４）と、を備えて構成されている。図２に示すように、固定部材（３２）と可動部材（３４）とは、それぞれ、内側凹面（３６，３８）と、外側凸面（４０，４２）と、を有している。さらに、固定部材（３２）と可動部材（３４）とは、それぞれ、放射線透過性のオス型結合部材（４４，４６）を有している。オス型結合部材（４４，４６）は、各凸面（４０，４２）から外向きに径方向に突出している。オス型結合部材（４４，４６）は、構成と横断面形状とにおいて、互いに実質的に同じである。
【００１２】
図４に示すように、オス型結合部材（４４）は、曲線をなす放射線透過性の脚（４８）を備えている。この脚（４８）は、凸面（４０）に対して連結された内側端部すなわち基端部を有している。脚（４８）の外側端部すなわち先端部は、曲線をなす放射線透過性のロック部材（５０）に対して連結されている。オス型連結部材（４４）には、曲線をなすとともに互いに反対側に位置した上チャネル（５２）および下チャネル（５４）が形成されている。よって、オス型連結部材（４４）は、開創器ブレードすなわち開創器アーム（５９）のためのホルダ（５７）のメス型連結部材（５５）を受領することができる。メス型連結部材（５５）は、各チャネル（５２，５４）内に延在する上側および下側突出部（６１，６３）を有しているとともに、さらに、内部開口（６５）を有している。この内部開口（６５）は、ロック部材（５０）をスライド可能に受領し得るような横断面形状およびサイズとされている。ホルダ（５７）は、ロック部材（５０）の外側凸面に対して接触しているロックネジ（６７）を締め付けることによって、固定部材（３２）上に固定される。図２に示すように、オス型連結部材（４４，４６）のロック部材（５０）の各々は、メス型連結部材（５５）を受領し得るサイズとされた不連続性すなわち開口（５１）を有している。これら開口（５１）は、固定部材（３２）および可動部材（３４）のうちの所望の一方に対してホルダを取り付けることを可能とする。
【００１３】
図３に示すように、放射線透過性の固定部材（３２）は、第１端部（５６）を備えている。この第１端部（５６）上には、放射線透過性の第１星形コネクタ（５８）が配置されている。同様に、放射線透過性の可動部材（３４）は、第１端部（６０）を備えていて、この第１端部（６０）上には、放射線透過性の第２星形コネクタ（６２）が配置されている。よって、第１星形コネクタ（５８）と第２星形コネクタ（６２）とを係合させることによって、固定部材（３２）および可動部材（３４）のそれぞれの第１端部（５６，６０）どうしを、所望の角度関係に効果的に維持することができる。固定部材（３２）は、第２端部（６４）を備えている。この第２端部（６４）上には、第３星形コネクタ（６６）が配置されている。可動部材（３４）は、第２端部（６８）を備えていて、この第２端部（６８）上には、放射線透過性の第４星形コネクタ（７０）が配置されている。よって、第３星形コネクタ（６６）と第４星形コネクタ（７０）とを係合させることによって、固定部材（３２）および可動部材（３４）のそれぞれの第２端部（６４，６８）どうしを、所望の角度関係に効果的に維持することができる。
【００１４】
図５に示すように、固定部材（３２）の第１端部（５６）は、放射線透過性のピン（７２）を有している。ピン（７２）は、第１端部（５６）から突出している。ピン（７２）は、第１星形コネクタ（５８）の中央に配置されているとともに、第２星形コネクタ（６２）の中央に配置された穴（７４）を貫通して延在している。よって、ピン（７２）は、固定部材（３２）および可動部材（３４）の各第１端部（５６，６０）間における回転軸（７５）を構成している。
【００１５】
図６に示すように、放射線透過性のロックシャフト（７６）が、固定部材（３２）の第２端部（６４）上の第３星形コネクタ（６６）の中央に配置されているクリアランス穴（７８）を貫通して延在している。ロックシャフト（７６）は、ネジ山付き端部（８０）を有している。このネジ山付き端部（８０）は、可動部材（３４）の第２端部（６８）上の第４星形コネクタ（７０）の中央に配置されたネジ山付き穴（８２）と係合する。ロックシャフト（７６）は、肩部（８４）を有している。この肩部（８４）は、クリアランス穴（７８）に隣接した肩部（８６）に対して当接しており、これにより、クリアランス穴（７８）を通してのロックシャフト（７６）の移動が制限されるようになっている。放射線透過性のロックノブ（８８）が、ロックシャフト（７６）の反対側端部上に配置されている。使用者がロックノブ（８８）を回転させたときには、ロックシャフト（７６）が、第３および第４星形コネクタ（６６，７０）どうしを互いに引き寄せることによってこれらを係合させ、これにより、固定部材（３２）および可動部材（３４）の各第２端部（６４，６８）を、所望角度位置にロックする。
【００１６】
図３を再度参照すると、ある実施形態においては、固定部材（３２）の第１および第２端部（５６，６４）間の距離は、可動部材（３４）の第１および第２端部（６０，６８）間の距離とは相違している。言い換えれば、第１および第３星形コネクタ（５８，６６）の中心間距離は、第２および第４星形コネクタ（６２，７０）の中心間距離とは相違している。第２および第４星形コネクタ（６２，７０）の中心間距離は、例えば、第１および第３星形コネクタ（５８，６６）の中心間距離と比較して、約３．１７５ｍｍ（約０．１２５インチ）だけ、小さい。したがって、ロックシャフト（７６）を緩めたときには、第３および第４星形コネクタ（６６，７０）間には、の中心間距離は、約３．１７５ｍｍ（約０．１２５インチ）というギャップすなわち間隔（９０）が存在することとなる。ロックシャフト（７６）をロック方向に回転させたときには、可動部材の第２端部（６８）が、弾性的に拡張し、固定部材の第２端部（６４）に向けて移動する。可動部材（３４）の拡がりすなわち拡張は、第４星形コネクタ（７０）を、第３星形コネクタ（６６）に対してのロック係合をもたらす。可動部材（３４）の拡がりすなわち拡張は、また、図３において右から左へと向かうとともに実質的に回転軸（７５）と平行な向きの力ベクトルによって、第２星形コネクタ（６２）を、第１星形コネクタ（５８）に対して係合させる。
【００１７】
ロックシャフト（７６）を、逆向きをなすロック解除方向に回転させたときには、可動部材（３４）が、自動的に、非拡張状態に向けて復帰する。すなわち、可動部材の第２端部（６８）が、第１端部（６０）に向けて自動的に移動する。このプロセスにおいては、可動部材の第２端部（６８）が、固定部材の第２端部（６４）から自動的に離間し、第４星形コネクタ（７０）が、第３星形コネクタ（６６）から係合解除されることとなる。よって、ロックシャフト（７６）をロック解除方向に回転させることにより、可動部材（３４）上の第２および第４星形コネクタ（６２，７０）を、固定部材（３２）の第１および第３星形コネクタ（５８，６６）に対して、回転させることができる。
【００１８】
図１に示すように、固定部材（３２）は、第１および第２端部（５６，６４）のそれぞれから径方向外向きに突出する放射線透過性の耳（９２，９４）を備えている。これら耳（９２，９４）を使用することにより、取付ブラケット（２４，２６）に対しての固定部材（３２）の取付を容易に行うことができる。取付ブラケット（２４，２６）およびクランプ部材（２８，３０）の構成および動作が互いに同じであることにより、以下においては、放射線透過性取付ブラケット（２４）および放射線透過性クランプ部材（２８）の構成および動作についてのみ、詳細に説明することとする。支持ブラケット（２４）は、放射線透過性の角度付きボディ（９６）を備えている。放射線不透過性の金属製ボール（９８）が、このボディ（９６）の上端に取り付けられている。放射線透過性の支持ロッド（１００）の上端が、ボディ（９６）の下端に対して、堅固に連結されている。
【００１９】
図２および図８に示すように、耳（９２）は、全体的にキー形状をなす開口（１０２）を備えている。このキー形状の開口（１０２）は、円形部分（１０４）と、スロット部分（１０６）と、を有している。円形部分（１０４）は、ボール（９８）の直径よりも大きな直径を有しており、スロット部分（１０６）は、支持ロッド（１００）の直径よりも大きなスロット幅を有している。よって、ボール（９８）付きの支持ロッド（１００）は、開口（１０２）内へと容易に挿入することができる。耳（９２）は、さらに、ネジ山付き開口（１０８）を有している。このネジ山付き開口（１０８）の中心線は、開口（１０２）の中心線に対して実質的に垂直な向きとされている。放射線透過性のロックネジ（１１０）が、開口（１０８）に対して螺着的に係合している。ロックネジ（１１０）は、環状端部表面（１１２）を有している。この環状端部表面（１１２）は、ロックネジ（１１０）を締め付けたときに、ボール（９８）に対して緊密に接触し得るような形状とされている。よって、固定部材（３２）の角度配向は、放射線透過性のロックネジ（１１０）の締付および締付解除によって、調節することができる。
【００２０】
図７に示すように、放射線透過性支持ロッド（１００）の下端は、放射線透過性の圧縮ナット（１１４）と、放射線透過性のロッドホルダ（１１８）内に配置された放射線不透過性金属製圧縮ボール（１１６）と、の中を通して支持ロッド（１００）を挿通させることによって、取付クランプ部材（２８）に対して、取付可能とされている。よって、クランプ部材（２８）に対しての支持ロッド（１００）の位置および向きは、圧縮ナット（１１４）の締付および締付解除によって、調節可能である。ロッドホルダ（１１８）は、放射線透過性の星形コネクタ（１２０）を備えている。この星形コネクタ（１２０）は、取付クランプ部材（２８）の放射線透過性固定ボディ（１２４）上に配置された放射線透過性星形コネクタ（１２２）に対して係合可能とされている。放射線透過性のロックネジ（１２６）は、ネジ山付き端部を有している。このネジ山付き端部は、星形コネクタ（１２２）の中央に位置したクリアランス穴（１２８）を挿通して延在するとともに、ロッドホルダ（１１８）に対して螺着的に係合することができる。ロックネジ（１２６）は、円形の逃げスロット（１３０）を有している。よって、ロックネジ（１２６）がクリアランス穴（１２８）を挿通して挿入されたときには、逃げスロット（１３０）は、径方向貫通穴（１３２）と位置合わせされる。放射線透過性の保持ピン（１３４）が、貫通穴（１３２）を挿通して挿入されるとともに、逃げスロット（あるいは、逃げチャネル）（１３０）内へと侵入する。これにより、ロックネジ（１２６）が、固定ボディ（１２４）内に保持される。よって、取付クランプ部材（２８）に対しての支持ロッド（１００）の角度配向は、ロックネジ（１２６）の締付および締付解除によって、調節可能である。
【００２１】
放射線透過性の固定ボディ（１２４）は、放射線透過性のスライドボディ（１３８）を受領し得るようなサイズとされた開口（１３６）を備えている。放射線透過性のロックネジ（１４０）は、ネジ山付き端部を有している。このネジ山付き端部は、スライドボディ（１３８）に対して螺着的に係合することができる。ロックネジ（１４０）は、さらに、放射線透過性の保持ピン（１４２）を有している。この保持ピン（１４２）は、円形の逃げスロット（１４４）内へと侵入する。これにより、ロックネジ（１４０）が、固定ボディ（１２４）内に保持される。固定ボディ（１２４）は、放射線透過性の固定フック（１４６）を有している。この固定フック（１４６）は、スライドボディ（１３８）上のスライドフック（１４８）と対向している。よって、取付クランプ部材（２８）は、ロックネジ（１４０）を緩めた後に締め付けることによって、頭蓋骨クランプデバイスのアームに対して取り付けることができる。
【００２２】
特に断らない限り、ハロースタイル開創器（２０）を構成するすべての部材は、例えば“DELRIN”（商標名）アセタールポリマーといったような、放射線透過性材料から形成される。他の放射線透過性材料を使用することもできる。金属製ボール（９８）と圧縮ボール（１１６）とは、アルミニウムから形成される。上述した様々な放射線透過性部材は、機械加工によって、成型によって、あるいはこれら機械加工と成型との組合せによって、あるいは、放射線透過性材料に適合した他の任意のプロセスによって、形成することができる。
【００２３】
使用時においては、放射線透過性の取付クランプ部材（２８，３０）（図１）を、まず最初に、例えば放射線透過性頭蓋骨クランプ部材（仮想線で図示されている）といったような放射線透過性頭蓋骨固定デバイスの両サイドアームに対して取り付ける。そのような頭蓋骨クランプ部材は、本出願人による米国特許第５，５３７，７０４号明細書において図示され開示されている。次に、支持ブラケット（２４，２６）の支持ロッド（１００）を、取付クランプ部材（２８，３０）のロッドホルダ（１１８）を通して挿入する。患者の頭蓋骨に対しての所望高さ位置のところに、開創器リング（２２）を位置させる。次に、開創器アーム（５９）あるいは他のブレードホルダのための１つまたは複数のホルダ（５７）を、複数のメス型連結部材（４４，４６）の一方上の開口（５１）に対して隣接させつつ、その開口（５１）上にわたってスライド可能に配置する。その後、開創器アームホルダ（５７）を、所望位置のところにまで、チャネルまたは経路（５２，５４）に沿って移動させ、そして、ロックネジ（６７）を使用することによって、その所望位置にロックする。また、固定部材（３２）および可動部材（３４）の位置および角度配向は、ロックシャフト（７６）およびロックネジ（１１０）の締付解除および締付によって、調節することができる。
【００２４】
図３に示すように、開創器アーム（５９）は、使い捨て可能な放射線透過性のフレキシブルな開創器アームである。開創器アーム（５９）は、開創器アーム（５９）の外側端部すなわち先端部のところに配置された連結部材（６９）内において終端しているような、放射線透過性の複数のボール・ソケット機構を備えている。連結部材（６９）は、Colder
Products  Company によって製造され、米国特許第５，０５２，７２５号明細書に開示されている。この連結部材（６９）により、開創器ブレードを、フレキシブルな開創器アーム（５９）の先端部のところに着脱可能に保持することができる。さらに、内部ストリング（図示せず）が、開創器アーム（５９）の長さ全体にわたって延在している。内部ストリングの先端のところにおいて、内部ストリングは、連結部材（６９）に対して所定に保持されている。フレキシブルな開創器アーム（５９）の内側端部すなわち基端部のところにおいては、内部ストリングは、ネジ山付きボルトおよびノブアセンブリ（７１）によって、所定に保持されている。ネジ山付きボルトおよびノブアセンブリ（７１）により、内部ストリングを締め付けたりあるいは緩めたりすることができ、ハロー開創器（２０）に対しての開創器アーム（５９）の位置および向きを変更することができる。これにより、脳外科手術時には、脳外科医の所望に応じて、フレキシブルな開創器アーム（５９）を、患者の頭部に対して再配置することができる。
【００２５】
本発明による放射線透過性ハロースタイル開創器（２０）は、公知の開創器と比較して、いくつもの利点を有している。第１に、放射線に対して透明であることにより、画像化プロセスにおいて走査を行う際に、ノイズを実質的に低減させることができる。これは、走査が手術時に行われる場合に、特に有利である。ハロータイプの開創器の放射線透過品質により、また、この開創器の形状により、さらに、この開創器に対して他の部材を連結することができることにより、小さな空間内において、患者に対して開創器を固定することができる。このため、開創器アームやハロータイプ開創器や他の支持部材を取り外すことなく、患者に対して走査を行うことができる。さらに、実質的にすべての部材が放射線透過性であり、そのため、得られる画像から、開創器に起因したほとんどすべてのノイズを無くすことができる。
【００２６】
第２に、固定部材（３２）および可動部材（３４）のそれぞれの凸面（４０，４２）に対して、オス型連結部材（４４，４６）を適用することにより、固定部材（３２）および可動部材（３４）の成型プロセスを実質的に単純化することができる。これにより、これら部材（３２，３４）の製造コストを低減することを補助することができる。
【００２７】
上述したように、可動部材は、わずかに小さな幅を有しており、ロックシャフト（７６）を締め付けたときには、弾性的に拡張する。そのような構成により、可動部材を、ロックシャフト（７６）だけの締付解除によって制御することができる。さらに、ロックシャフト（７６）を緩めたときには、弾性的可動部材（３４）によって各星形コネクタ（５８，６２，６６，６０）に対して印加される力により、可動部材を、星形コネクタの１つの歯単位でもって正確に調節することができる。可動部材（３４）の弾性により、外科医は、星形コネクタの１つの歯ごとの『クリック感』や『スナップ感』を、感覚的に感じることができる。この特徴点と、ロックデバイス（７６）だけによる操作という特徴点と、を組み合わせることにより、公知のハロースタイル開創器よりも、本発明による開創器（２０）の方が、実質的に使い勝手の良いものとされる。
【００２８】
加えて、固定部材（３２）に対して可動部材（３４）を調節してロックすることができるという可能性は、ロックシャフト（７６）という１つの部材を付加することだけによって達成される。公知のハロースタイルの開創器よりも、このようにして部材数を低減できることは、製造コストの低減化を補助するとともに、手術の信頼性を高めて、手術トラブルの回避を補助する。
【００２９】
１つの実施形態に関する説明によって本発明を例示し、その実施形態について詳細に説明したけれども、本発明の範囲は、上記実施形態によって限定されるものではない。当業者であれば、付加的な利点や変形を付加し得ることは、自明である。例えば、図４における脚（４８）およびロック部材（５０）は、実質的にＴ字形状の横断面形状を有している。明らかなように、他の実施形態においては、オス型連結部材（４４，４６）の横断面形状は、例えばＬ字形状や鳩尾形状といったような他の形状とすることができる。さらに他の実施形態においては、ロック部材（５０）は、円形横断面形状を有することができる。
【００３０】
したがって、最も広義での本発明は、上記各細部に限定されるものではない。したがって、特許請求の範囲に基づく精神および範囲を逸脱することなく、上記各細部を変更することができる。
【図面の簡単な説明】
【００３１】
【図１】本発明の原理に基づき、放射線透過性支持ブラケットと放射線透過性取付クランプ部材とを備えた放射線透過性ハロースタイルの開創器を示す斜視図である。
【図２】図１のハロースタイル開創器を示す斜視図であって、フレキシブルな開創器アームと支持ブラケットとの図示は省略されている。
【図３】図１のハロースタイル開創器を示す平面図であって、フレキシブルな開創器アームが、開創器上に取り付けられている。
【図４】図３における４−４線に沿った矢視断面図であって、図１のハロースタイル開創器上への開創器アームの取付状況を示している。
【図５】図３における回転軸（７５）に沿った断面図であって、図１のハロースタイル開創器に関しての、固定部材と可動部材との間の連結状況を示している。
【図６】図３における回転軸（７５）に沿った断面図であって、図１のハロースタイル開創器に関しての、固定部材と可動部材との間の他の連結状況を示している。
【図７】図１のハロースタイル開創器に関して使用されている支持ブラケットと取付クランプ部材とを示す分解斜視図である。
【図８】図３における８−８線に沿った矢視断面図であって、支持ブラケットと、図１のハロースタイル開創器との間の連結状況を示している。
【符号の説明】
【００３２】
２０  放射線透過性ハロースタイル開創器
２２  開創器リング
２４  支持ブラケット
２６  支持ブラケット
２８  取付クランプ部材
３０  取付クランプ部材
３２  固定部材
３４  可動部材
４０  凸面
４２  凸面
４４  オス型結合部材
４６  オス型結合部材
４８  脚
５０  ロック部材
５５  メス型連結部材
５６  第１端部
５８  第１星形コネクタ
５９  開創器アーム
６０  第１端部
６２  第２星形コネクタ
６４  第２端部
６６  第３星形コネクタ
６８  第２端部
７０  第４星形コネクタ
７２  ピン
７５  回転軸
７６  ロックシャフト
８０  ネジ山付き端部
９６  ボディ
９８  ボール
１００  支持ロッド
１０２  開口
１０４  円形部分
１０６  スロット部分
１１０  ロックネジ
【国際公開パンフレット】
2004525716.tif 000003
2004525716.tif 000004
2004525716.tif 000005
2004525716.tif 000006
2004525716.tif 000007
2004525716.tif 000008
2004525716.tif 000009
2004525716.tif 000010
2004525716.tif 000011
2004525716.tif 000012
2004525716.tif 000013
2004525716.tif 000014
2004525716.tif 000015
2004525716.tif 000016
2004525716.tif 000017
2004525716.tif 000018
2004525716.tif 000019
2004525716.tif 000020
2004525716.tif 000021
2004525716.tif 000022
2004525716.tif 000023
2004525716.tif 000024
2004525716.tif 000025
2004525716.tif 000026
【国際公開パンフレット（コレクトバージョン）】
2004525716.tif 000027
【手続補正書】
【提出日】平成15年6月18日(2003.6.18)
【手続補正１】
【補正対象書類名】特許請求の範囲
【補正対象項目名】全文
【補正方法】変更
【補正の内容】
【特許請求の範囲】
【請求項１】
ハロータイプの開創器であって、
曲線的固定部材を具備し、
この固定部材が、第１端部および第２端部を有するとともに、径方向外向きに突出しておりかつ開創器アームのメス型連結部材を受領し得るよう構成された第１オス型連結部材を有し、
この第１オス型連結部材が、第１脚部材と、第１ロック部材と、を有し、
前記第１脚部材が、前記固定部材の長さ全体にわたって延在しているとともに、前記固定部材に対して連結された内側端部と、前記第１ロック部材に対して連結された先端部と、を有し、
さらに、曲線的可動部材を具備し、
この可動部材が、第１端部および第２端部を有するとともに、径方向外向きに突出しておりかつ開創器アームのメス型連結部材を受領し得るよう構成された第２オス型連結部材を有し、
この第２オス型連結部材が、第２脚部材と、第２ロック部材と、を有し、
前記第２脚部材が、前記可動部材の長さ全体にわたって延在しているとともに、前記可動部材に対して連結された内側端部と、前記第２ロック部材に対して連結された先端部と、を有し、
さらに、
前記両第１端部の一方に固定されているとともに、前記両第１端部の他方の中へと延出され、前記両第１端部どうしを互いに回転可能に連結している第１ピンと；
前記両第２端部の一方を挿通して延在しているとともに、前記両第２端部の他方の中へと螺着され、さらに、前記固定部材と前記可動部材とを所望の配向関係でもってロックし得るロックシャフトと；
を具備することを特徴とする開創器。
【請求項２】
放射線透過性のハロータイプの開創器であって、
第１端部および第２端部を有するとともに、第１凸面を有し、さらに、この第１凸面から外向きに突出しておりかつ開創器アームのメス型連結部材を受領し得るよう構成された第１放射線透過性オス型連結部材を有した、放射線透過性曲線的固定部材を具備し、
前記第１オス型連結部材が、第１脚部材と、第１ロック部材と、を有し、
前記第１脚部材が、前記第１凸面の長さ全体にわたって延在しているとともに、前記第１凸面に対して固定された内側端部と、前記第１ロック部材に対して連結された先端部と、を有し、
さらに、
第１端部および第２端部を有するとともに、第２凸面を有し、さらに、この第２凸面から外向きに突出した第２放射線透過性オス型連結部材を有した、放射線透過性曲線的可動部材を具備し、
前記第２オス型連結部材が、第２脚部材と、第２ロック部材と、を有し、
前記第２脚部材が、前記第２凸面の長さ全体にわたって延在しているとともに、前記第２凸面に対して固定された内側端部と、前記第１ロック部材に対して連結された先端部と、を有し、
さらに、
前記両第１端部の一方に固定されているとともに、前記両第１端部の他方の中へと延出され、前記両第１端部どうしを互いに回転可能に連結している第１ピンと；
前記両第２端部の一方を挿通して延在しているとともに、前記両第２端部の他方の中へと螺着され、さらに、前記固定部材と前記可動部材とを所望の配向関係でもってロックし得るロックシャフトと；
を具備することを特徴とする開創器。
【請求項３】
請求項２記載の開創器において、
前記第１および第２放射線透過性オス型連結部材の各々が、それぞれ対応する前記凸面に対してのチャネルを形成していることを特徴とする開創器。
【請求項４】
請求項２記載の開創器において、
前記第１および第２放射線透過性オス型連結部材の各々が、それぞれ対応する前記凸面に対しての、一対をなすチャネルを形成していることを特徴とする開創器。
【請求項５】
請求項２記載の開創器において、
前記第１および第２放射線透過性オス型連結部材の各々が、実質的にＴ字形横断面形状の部分を有していることを特徴とする開創器。
【請求項６】
請求項２記載の開創器において、
前記第１および第２放射線透過性オス型連結部材の各々が、実質的にＬ字形横断面形状の部分を有していることを特徴とする開創器。
【請求項７】
請求項６記載の開創器において、
前記脚部材の各々と前記ロック部材の各々とが、前記凸面の一方に対してのチャネルを形成していることを特徴とする開創器。
【請求項８】
請求項７記載の開創器において、
前記脚部材の各々とそれぞれ対応する前記ロック部材とが、実質的にＴ字形状の連結部材を形成していることを特徴とする開創器。
【請求項９】
請求項８記載の開創器において、
前記脚部材の各々とそれぞれ対応する前記ロック部材とが、それぞれ対応する前記凸面に対しての、一対をなすチャネルを形成していることを特徴とする開創器。
【請求項１０】
請求項２記載の開創器において、
前記ロックシャフトが、放射線透過性材料から形成されていることを特徴とする開創器。
【請求項１１】
請求項２記載の開創器において、
前記ピンが、放射線透過性材料から形成されていることを特徴とする開創器。
【請求項１２】
請求項２記載の開創器において、
前記固定部材および前記可動部材が、実質的に半円形であることを特徴とする開創器。
【請求項１３】
請求項２記載の開創器において、
さらに、放射線透過性の開創器アームを具備し、
この開創器アームが、前記第１および第２オス型連結部材の一方に対して連結可能とされた放射線透過性メス型連結部材を備えていることを特徴とする開創器。
【請求項１４】
放射線透過性のハロータイプの開創器であって、
第１端部および第２端部を有した放射線透過性曲線的固定部材と；
第１端部および第２端部を有した放射線透過性曲線的可動部材と；
前記固定部材および前記可動部材のそれぞれの前記第１端部上に配置されているとともに、前記固定部材と前記可動部材とを所望の角度配向関係でもって固定する、第１および第２放射線透過性星形コネクタと；
前記固定部材および前記可動部材のそれぞれの前記第２端部上に配置されているとともに、前記固定部材と前記可動部材とを所望の角度配向関係でもって固定する、第３および第４放射線透過性星形コネクタと；
前記第１および第２星形コネクタの一方に対して固定されているとともに、前記第１および第２星形コネクタの他方を挿通して延在しており、さらに、前記固定部材および前記可動部材の前記第１端部に関しての回転軸をもたらしている、放射線透過性のピンと；
前記第３および第４星形コネクタの一方に対して取り付けられているとともに、前記第３および第４星形コネクタの他方に対して螺着的に係合しており、さらに、前記固定部材および前記可動部材の前記第２端部に関しての回転軸をもたらしている、放射線透過性のロックシャフトと；
を具備することを特徴とする開創器。
【請求項１５】
請求項１４記載の開創器において、
前記固定部材および前記可動部材が、それぞれ、互いに対向している凸面と凹面とを備え、
前記第１星形コネクタが、前記固定部材の前記凹面上に配置され、
前記第２星形コネクタが、前記可動部材の前記凸面上に配置されていることを特徴とする開創器。
【請求項１６】
請求項１５記載の開創器において、
前記第３星形コネクタが、前記固定部材の前記凸面上に配置され、
前記第４星形コネクタが、前記可動部材の前記凹面上に配置されていることを特徴とする開創器。
【請求項１７】
請求項１６記載の開創器において、
前記放射線透過性ロックシャフトが、前記固定部材上の前記第１星形コネクタに対して取り付けられているとともに、前記可動部材上の前記第２星形コネクタに対して螺着的に係合していることを特徴とする開創器。
【請求項１８】
請求項１７記載の開創器において、
前記放射線透過性ピンが、前記固定部材上の前記第３星形コネクタに対して固定されているとともに、前記第４星形コネクタを挿通して延在していることを特徴とする開創器。
【請求項１９】
請求項１４記載の開創器において、
さらに、放射線透過性の開創器アームを具備し、
この開創器アームが、前記固定部材と前記可動部材との一方に対して連結可能とされていることを特徴とする開創器。
【請求項２０】
放射線透過性のハロータイプの開創器であって、
第１端部および第２端部を有するとともに、第１凸面を有した、放射線透過性曲線的固定部材と；
第１端部および第２端部を有するとともに、第２凸面を有した、放射線透過性曲線的可動部材と；
を具備し、
前記固定部材の前記第１端部と前記第２端部とが、前記可動部材の前記第１端部と前記第２端部との間の離間間隔とは異なる離間間隔を有し、
さらに、
前記第１端部および前記第２端部の一方に対して回転可能に連結された第１ピンと；
前記第１端部および前記第２端部の他方に対して回転可能に連結されたロックシャフトであるとともに、前記固定部材と前記可動部材とを所望の配向関係でもってロックし得るロックシャフトと；
を具備し、
前記ロックシャフトが前記固定部材と前記可動部材とを互いにロックする際には、前記固定部材の前記第１端部と前記第２端部との間の離間間隔が、前記可動部材の前記第１端部と前記第２端部との間の離間間隔と等しくなり、前記固定部材および前記可動部材の前記第１および第２端部が、弾性的に広がることを特徴とする開創器。
【請求項２１】
請求項２０記載の開創器において、
前記固定部材の前記第１端部および前記第２端部が、前記可動部材の前記第１端部および前記第２端部の間の離間間隔よりも大きな離間間隔でもって離間していることを特徴とする開創器。
【請求項２２】
請求項２１記載の開創器において、
前記ロックシャフトが前記固定部材と前記可動部材とを互いにロックする際には、前記可動部材の前記第１端部および前記第２端部が、弾性的に広がることを特徴とする開創器。
【請求項２３】
請求項２２記載の開創器において、
前記ロックシャフトが前記固定部材と前記可動部材とを緩めたときには、前記可動部材の前記第１端部および前記第２端部が、自動的に互いに近接する向きに移動することを特徴とする開創器。
【請求項２４】
請求項２３記載の開創器において、
さらに、前記固定部材および前記可動部材のそれぞれの前記第１端部上に配置された第１および第２放射線透過性星形コネクタを具備し、
これら第１および第２放射線透過性星形コネクタが、前記ロックシャフトが前記固定部材と前記可動部材とを互いにロックすることに応答して、前記固定部材および前記可動部材の前記第１端部どうしを、所望の角度配向関係でもって固定することを特徴とする開創器。
【請求項２５】
請求項２４記載の開創器において、
前記ロックシャフトが前記固定部材と前記可動部材とを緩めたときには、前記可動部材の前記第１端部および前記第２端部が、自動的に互いに近接する向きに移動し、
前記可動部材の前記第１端部および前記第２端部に関してのこの近接移動により、前記第１および第２星形コネクタが、互いに離間移動することを特徴とする開創器。
【請求項２６】
請求項２５記載の開創器において、
さらに、前記固定部材および前記可動部材のそれぞれの前記第２端部上に配置された第３および第４放射線透過性星形コネクタを具備し、
これら第３および第４放射線透過性星形コネクタが、前記ロックシャフトが前記固定部材と前記可動部材とを互いにロックすることに応答して、前記固定部材および前記可動部材の前記第２端部どうしを、所望の角度配向関係でもって固定することを特徴とする開創器。
【請求項２７】
請求項２６記載の開創器において、
前記ロックシャフトが前記固定部材と前記可動部材とを緩めたときには、前記可動部材の前記第１端部および前記第２端部が、自動的に互いに近接する向きに移動し、
前記可動部材の前記第１端部および前記第２端部に関してのこの近接移動により、前記第３および第４星形コネクタが、互いに離間移動することを特徴とする開創器。
【請求項２８】
ハロータイプの開創器であって、
曲線的固定部材と；
この固定部材に対して連結されているとともにこの固定部材に対して移動可能とされた曲線的可動部材と；
前記固定部材に対して連結可能とされているとともに、放射線透過性支持ロッドを有している、支持ブラケットと；
前記支持ロッドに対して連結可能とされたロッドホルダと、第１フックを有しかつ前記ロッドホルダに対して連結可能とされた固定ボディと、第２フックを有しかつ前記固定ボディ内において直線的に移動可能に取り付けられかつ前記固定ボディに対して固定可能とされた可動ボディと、を備えた取付クランプ部材と；
を具備し、
前記可動ボディと前記第２フックとが、前記第１フックに対して接近離間する直線経路に沿って直線的に移動可能とされているとともに、頭蓋骨固定デバイスに対して前記ハロータイプ開創器をクランプおよびクランプ解除し得るように構成されていることを特徴とする開創器。
【請求項２９】
放射線透過性のハロータイプの開創器であって、
第１端部および第２端部を有するとともに、第１凸面を有し、さらに、この第１凸面から外向きに突出しておりかつ開創器アームのメス型連結部材を受領し得るよう構成された第１放射線透過性オス型連結部材を有した、放射線透過性曲線的固定部材と；
第１端部および第２端部を有するとともに、第２凸面を有し、さらに、この第２凸面から外向きに突出しておりかつ開創器アームのメス型連結部材を受領し得るよう構成された第２放射線透過性オス型連結部材を有した、放射線透過性曲線的可動部材と；
を具備し、
前記固定部材の前記第１端部と前記第２端部とが、前記可動部材の前記第１端部と前記第２端部との間の離間間隔とは異なる離間間隔を有し、
さらに、
前記固定部材および前記可動部材のそれぞれの前記第１端部上に配置されているとともに、前記固定部材と前記可動部材とを所望の角度配向関係でもって固定する、第１および第２放射線透過性星形コネクタと；
前記固定部材および前記可動部材のそれぞれの前記第２端部上に配置されているとともに、前記固定部材と前記可動部材とを所望の角度配向関係でもって固定する、第３および第４放射線透過性星形コネクタと；
前記第１端部に対して回転可能に連結された第１ピンと；
前記第２端部に対して回転可能に連結されたロックシャフトであるとともに、前記固定部材と前記可動部材とを所望の配向関係でもってロックし得るロックシャフトと；
を具備していることを特徴とする開創器。
【請求項３０】
請求項２８記載の開創器において、
前記固定部材と、前記可動部材と、前記支持ブラケットと、前記取付クランプ部材とが、実質的に放射線透過性であることを特徴とする開創器。
【請求項３１】
頭蓋骨固定デバイスに対して支持ロッドを連結するための取付クランプ部材であって、
前記支持ロッドが、手術ツール支持体に対して連結された上端部を備えている場合において、
前記取付クランプ部材が、
前記支持ロッドの長さ全体に沿った所望箇所において前記支持ロッドに対して固定され得るように構成されたロッドホルダと；
第１フックを有しかつ前記ロッドホルダに対して連結可能とされた固定ボディと；
第２フックを有しかつ前記固定ボディ内において直線的に移動可能に取り付けられかつ前記固定ボディに対して固定可能とされた可動ボディと；
を具備し、
前記可動ボディと前記第２フックとが、前記第１フックに対して接近離間する直線経路に沿って直線的に移動可能とされているとともに、頭蓋骨固定デバイスに対して前記支持ロッドをクランプおよびクランプ解除し得るように構成されていることを特徴とする取付クランプ部材。
【請求項３２】
請求項３１記載の取付クランプ部材において、
前記ロッドホルダと、前記固定ボディと、前記可動ボディとが、実質的に放射線透過性であることを特徴とする取付クランプ部材。
【請求項３３】
ハロータイプの開創器であって、
曲線的固定部材を具備し、
この固定部材が、この固定部材の第１面内に配置された第１キャビティと、この固定部材の他の面内に配置された第２キャビティでありかつ前記第１キャビティと交差しかつ前記第１キャビティに対して実質的に垂直とされた第２キャビティと、前記固定部材内に螺着されかつ先端部を有したロックネジと、を備え、
さらに、
前記固定部材に対して連結されているとともにこの固定部材に対して移動可能とされた曲線的可動部材と；
前記固定部材に対して連結可能とされた支持ブラケットと；
を具備し、
前記支持ブラケットが、前記第２キャビティ内にわたってスライド可能とされた支持ロッドと、この支持ロッドの上端上に設けられた突出部と、を備え、
この突出部が、前記第１キャビティ内にわたってスライド可能とされ、かつ、前記第２キャビティ内にわたってはスライド不可能とされ、さらに、前記ロックネジの回転によって前記第２キャビティ内においてロック可能とされ、
さらに、
頭蓋骨固定デバイスに対して前記ハロータイプ開創器をクランプおよびクランプ解除し得るよう構成された取付クランプ部材を具備していることを特徴とする開創器。
【請求項３４】
請求項３３記載の開創器において、
さらに、
前記第１キャビティとは実質的に径方向反対側の位置において、前記固定部材の第３面内に配置された第３キャビティと；
前記固定部材の第４面内に配置された第４キャビティでありかつ前記第３キャビティと交差しかつ前記第３キャビティに対して実質的に垂直とされた第４キャビティと；
前記固定部材内に螺着されかつ先端部を有した第２ロックネジと；
を具備していることを特徴とする開創器。
【請求項３５】
支持ロッドのボール端部上に取付可能とされた手術ツール支持体であって、
前記ボール端部が、前記支持ロッドの直径よりも大きな直径を有している場合に、
前記手術ツール支持体が、
手術ツールを支持し得るよう構成された部材であるとともに、スロット部分とこのスロット部分の上方に配置されかつこのスロット部分に対して交差した円形部分とを有した開口を備えている、部材を具備し、
前記円形部分が、前記スロット部分の幅よりも大きな直径を有しているとともに、前記支持ロッドの前記ボール端部をスライド可能に受領し得るよう構成され、
前記スロット部分が、スライド可能に前記支持ロッドを受領し得るよう構成され、
前記スロット部分が、前記支持ロッドの前記ボール端部を受領し得ないサイズとされ、
前記手術ツール支持体が、さらに、
前記部材内に螺着されているとともに、前記開口の前記円形部分内へと延出された先端部を有した、ロックネジを具備し、
前記支持ロッドの前記ボール端部が、前記ロックネジの回転によって、前記開口の前記円形部分内にロック可能とされていることを特徴とする手術ツール支持体。
【請求項３６】
請求項３５記載の手術ツール支持体において、
前記ロックネジが、前記開口の前記スロット部分の長手方向中心線と実質的に同一直線状とされた長手方向中心線を有していることを特徴とする手術ツール支持体。
【請求項３７】
請求項３５記載の手術ツール支持体において、
前記部材と前記ロックネジとが、実質的に放射線透過性であることを特徴とする手術ツール支持体。
【手続補正２】
【補正対象書類名】明細書
【補正対象項目名】００１８
【補正方法】変更
【補正の内容】
【００１８】
図１に示すように、固定部材（３２）は、第１および第２端部（５６，６４）のそれぞれから径方向外向きに突出する放射線透過性の耳（９２，９４）を備えている。これら耳（９２，９４）を使用することにより、取付ブラケット（２４，２６）に対しての固定部材（３２）の取付を容易に行うことができる。取付ブラケット（２４，２６）およびクランプ部材（２８，３０）の構成および動作が互いに同じであることにより、以下においては、放射線透過性取付ブラケット（２４）および放射線透過性クランプ部材（２８）の構成および動作についてのみ、詳細に説明することとする。支持ブラケット（２４）は、放射線透過性の角度付きボディ（９６）を備えている。放射線不透過性の金属製ボール（９８）が、このボディ（９６）の実質的に円柱状の上端（９７）（図７および図８）に対して取り付けられている。放射線透過性の支持ロッド（１００）の上端（９７）が、ボディ（９６）の下端に対して、堅固に連結されている。


【手続補正３】
【補正対象書類名】明細書
【補正対象項目名】００１９
【補正方法】変更
【補正の内容】
【００１９】
図２および図８に示すように、耳（９２）は、全体的にキー形状をなす開口（１０２）を備えている。このキー形状の開口（１０２）は、円形部分（１０４）と、スロット部分（１０６）と、を有している。円形部分（１０４）は、ボール（９８）の直径よりも大きな直径を有しており、スロット部分（１０６）は、支持ロッド（１００）の上端（９７）の直径よりも大きなスロット幅を有している。よって、ボール（９８）付きの支持ロッド（１００）の上端は、開口（１０２）内へと容易に挿入することができる。耳（９２）は、さらに、ネジ山付き開口（１０８）を有している。このネジ山付き開口（１０８）の中心線は、開口（１０２）の中心線に対して実質的に垂直な向きとされている。放射線透過性のロックネジ（１１０）が、開口（１０８）に対して螺着的に係合している。ロックネジ（１１０）は、環状端部表面（１１２）を有している。この環状端部表面（１１２）は、ロックネジ（１１０）を締め付けたときに、ボール（９８）に対して緊密に接触し得るような形状とされている。よって、固定部材（３２）の角度配向は、放射線透過性のロックネジ（１１０）の締付および締付解除によって、調節することができる。


【手続補正４】
【補正対象書類名】図面
【補正対象項目名】図４
【補正方法】変更
【補正の内容】
【図４】
2004525716.tif 000028
【手続補正５】
【補正対象書類名】図面
【補正対象項目名】図７
【補正方法】変更
【補正の内容】
【図７】
2004525716.tif 000029
【手続補正６】
【補正対象書類名】図面
【補正対象項目名】図８
【補正方法】変更
【補正の内容】
【図８】
2004525716.tif 000030
【国際調査報告】
2004525716.tif 000031